(57)【要約】【課題】保管時や搬送時の空間充填効率を維持すると共に、受皿の前後方向寸法を可及的に長くすることができる、遊技機を提供する。【解決手段】遊技機のケーシング（２１）に対して、破線で示した前方の遊技位置と、この遊技位置から後方へ後退する、実線で示した搬送位置と、をとることができる、獲得メダル又は獲得玉が放出される受皿（１３）と、受皿を前記遊技位置に固定する手段（３５，２１ａ）と、受皿を前記搬送位置に固定する手段（３３，２９ｂ、３１，２１ｂ）と、を備える。【選択図】　　　図１
2004097370.tif 000002
【特許請求の範囲】
【請求項１】
遊技機のケーシングに対して、前方の遊技位置と、この遊技位置から後方へ後退する搬送位置と、をとることができる、獲得メダル又は獲得玉が放出される受皿と、
この受皿を前記遊技位置に固定する手段と、
前記受皿を前記搬送位置に固定する手段と、を備える
ことを特徴とする、遊技機。
【請求項２】
前記受皿はフランジを備えており、
前記受皿を前記遊技位置に固定する手段は、前記フランジと、前記ケーシングに設けた第１のボスと、前記フランジと前記第１のボスとを結合する第１の連結具と、からなり、
前記受皿を前記搬送位置に固定する手段は、前記フランジと、前記ケーシングに設けた第２のボスと、前記フランジと前記第２のボスとの間に渡した固定具と、この固定具と前記フランジとを結合する第２の連結具と、前記固定具と前記第２のボスとを結合する第３の連結具と、からなる
ことを特徴とする、請求項１に記載の遊技機。
【請求項３】
前記ケーシングは一対のレールを備えており、
前記受皿は、前記レールに沿って移動可能な一対のロッドを備えており、
前記受皿を前記遊技位置に固定する手段は、前記各レールに設けた孔と、前記各ロッドに設けた、前記孔に嵌入する突起と、からなり、
前記受皿を前記搬送位置に固定する手段は、前記各レールと前記各ロッドとの摩擦である
ことを特徴とする、請求項１に記載の遊技機。
【請求項４】
前記遊技機はスロット機である
ことを特徴とする、請求項１ないし３のいずれかに記載の遊技機。
【請求項５】
前記受皿は、底壁と、この底壁からそれぞれ立ち上がった前壁、後壁及び２つの側壁と、を備え、
前記前壁は、前記底壁から上方へ至るにつれて次第に前方へ張り出す傾斜状を呈する
ことを特徴とする、請求項４に記載の遊技機。
【発明の詳細な説明】
【０００１】
【発明の属する技術分野】
この発明は、遊技機に関し、さらに詳しくは、獲得メダル又は獲得玉がケーシングに設けた受皿に放出される、スロット機、パチンコ機のような遊技機に関する。
【０００２】
【従来の技術】
例えば、スロット機では、獲得メダルが放出される受皿は、回転円盤を備えるリール装置や回転円盤の回転等を制御する制御基板、メダルを蓄え、前記受皿にメダルを放出するホッパその他の必要機器を収容したケーシング、又はこのケーシングに設けた前扉に固定的に取り付けられている。一方、スロット機の全体は、保管時や搬送時の空間充填効率を高める観点から、側面視の輪郭がほぼ長方形となるように形成してある。そのため、前記受皿の前方への突出長さは、ケーシングの前面に配置したスタートボタンやストップボタンの先端位置が限度であった。その結果、受皿の容量を確保するために、受皿は前後方向に、つまり遊技する人と遊技機との方向に短く、左右方向に長い細長形状になっていた。
【０００３】
パチンコ機又はスロット機の受皿を媒体貯留位置と、媒体流下位置とに切り替え可能に取り付け、大当り時に媒体を短時間で抜き取る技術が提案されている（特開平９―１５５０４０号公報）。その実施例として、受皿の後壁を水平軸で支持し、受皿の前端を上下に揺動可能にしたものが記載されている。
【０００４】
【発明が解決しようとする課題】
前記細長形状の受皿では、払い出されたメダルが受皿の一箇所に偏って積み上げられてしまう不都合がある。また、受皿からメダルを取り上げて次のゲームのためにメダルを投入口に入れるが、視線がスロット機に集中しているときなど、受皿の左端から右端まで手探りでメダルを探さねばならないので不便である。
【０００５】
前記公報に記載されているように、受皿を後壁で軸支持した場合、媒体貯留位置にある受皿は、前後方向の寸法を長くすると、受皿の真上にある、機種を特徴つけるためのパネルと干渉してしまう。そのため、受皿の前後方向の寸法を長くすることに限界がある。
【０００６】
この発明の課題は、保管時や搬送時の空間充填効率を維持すると共に、受皿の前後方向寸法を可及的に長くすることができる、遊技機を提供することにある。
【０００７】
【課題を解決するための手段】
前記課題を解決するため、本発明者は受皿の機能、すなわち受皿は遊戯中のみ適切な位置にあって放出されるメダルを受け取ることができれば十分であるとの機能に着目して、この発明を開発した。発明の詳しい構成については、項を改めて説明する。なお、いずれかの請求項の発明に関して行う用語の定義などは、発明の性質に反するものでない限り、他の請求項の発明にも適用されるものとする。
【０００８】
（請求項１に記載した発明の構成）
請求項１に記載した発明に係る遊技機（以下、「請求項１の遊技機」という）は、遊技機のケーシングに対して、前方の遊技位置と、この遊技位置から後方へ後退する搬送位置と、をとることができる、獲得メダル又は獲得玉が放出される受皿と、この受皿を前記遊技位置に固定する手段と、前記受皿を前記搬送位置に固定する手段と、を備えることを特徴とする。遊技機は、一般にスロット機であるが、パチンコ機であってもこの発明を適用することができる。前方の遊技位置と後方の搬送位置とは、遊技位置及び搬送位置を絶対的に定めるのではなく、２つの位置のうち、前方にあるもの、つまり遊技する人に向けて突出した位置が遊技位置であり、この遊技位置よりも後方へ後退した位置が搬送位置である。
【０００９】
（請求項１に記載した発明の作用効果）
請求項１の遊技機によれば、受皿が前方の遊技位置と後方の搬送位置とをとり、それぞれの位置に固定されることから、受皿の前後方向の寸法を可及的に長くし、それに伴って左右方向の寸法を短くして、受皿を、獲得メダルや獲得玉を入れて貯留し易い形状、遊技し易い形状、十分な量の獲得メダルや獲得玉が入る大きさなどに定めて遊技位置に配置することができる。受皿をこのように定めても、遊技機を保管したり、搬送したりするとき、受皿を搬送位置に固定することができるところ、受皿が隣接して配置される遊技機の受皿その他の部分と干渉することがないように、搬送位置を定めることが可能である。その結果、空間充填効率を従来の遊技機と同じ状態に維持できる。
【００１０】
（請求項２に記載した発明の構成）
請求項２に記載した発明に係る遊技機（以下、「請求項２の遊技機」という）は、請求項１の遊技機に限定が加わり、前記受皿はフランジを備えており、前記受皿を前記遊技位置に固定する手段は、前記フランジと、前記ケーシングに設けた第１のボスと、前記フランジと前記第１のボスとを結合する第１の連結具と、からなり、前記受皿を前記搬送位置に固定する手段は、前記フランジと、前記ケーシングに設けた第２のボスと、前記フランジと前記第２のボスとの間に渡した固定具と、この固定具と前記フランジとを結合する第２の連結具と、前記固定具と前記第２のボスとを結合する第３の連結具と、からなることを特徴とする。フランジは、逆Ｕ字状に形成した板材を受皿の左右側縁と上縁とに取り付けたり、２つの長方形状の板材を左右側縁に個別に取り付けたりして作ることができる。連結具は、ボルトとこのボルトをねじ込み可能なナットとの組合せ、又はボルトとこのボルトをねじ込み可能なめねじとの組合せの他、互いに重なり合ったフランジとボスとを挟持する、例えば逆Ｕ字状断面形状の金具とすることもできる。後者の場合、金具を打ち込んで、フランジとボスとを連結する。固定具は、第２のボスの位置によって種々の形態とすることができる。
【００１１】
（請求項２に記載した発明の作用効果）
請求項２の遊技機によれば、受皿を遊技位置及び搬送位置に固定するとき、受皿に設けたフランジを共通的に使用するため、簡単な構造とすることができる。また、固定具の形状や長さは第２のボスの位置に応じて選定できるため、第２のボスの位置を選定する自由度が高い。
【００１２】
（請求項３に記載した発明の構成）
請求項３に記載した発明に係る遊技機（以下、「請求項３の遊技機」という）は、請求項１の遊技機に限定が加わり、前記ケーシングは一対のレールを備えており、前記受皿は、前記レールに沿って移動可能な一対のロッドを備えており、前記受皿を前記遊技位置に固定する手段は、前記各レールに設けた孔と、前記各ロッドに設けた、前記孔に嵌入する突起と、からなり、前記受皿を前記搬送位置に固定する手段は、前記各レールと前記各ロッドとの摩擦であることを特徴とする。レールは、３つの片からなり、相隣る２つの片を直角に結合し、１箇所を開口とした溝型に形成したり、２つの片を直角に結合したアングル型に形成することができる。各ロッドが各レールに沿って移動するとき、各ロッドと各レールとが摩擦接触するように、各ロッドを弾性変形させる。そのためには、平行な一対のレールに対して一対のロッドが後方へ至るほど、ロッド間の間隔が広くなる末広状に一対のロッドを形成する。又は、平行な一対のロッドに対して、一対のレールが後方へ至るほど、レール間の間隔が狭くなる先細状に一対のレールを形成する。レールの孔とロッドの突起とは、受皿を遊技位置に固定するのに適した個所に設けることができる。
【００１３】
（請求項３に記載した発明の作用効果）
請求項３の遊技機によれば、受皿を遊技位置に固定する手段がレールの孔とロッドの突起であり、受皿を搬送位置に固定する手段がレールとロッドの摩擦であるため、それぞれの位置への固定作業が簡単である。
【００１４】
（請求項４に記載した発明の構成）
請求項４に記載した発明に係る遊技機（以下、「請求項４の遊技機」という）は、請求項１ないし３のいずれかの遊技機に限定が加わり、前記遊技機はスロット機であることを特徴とする。
【００１５】
（請求項４に記載した発明の作用効果）
パチンコ機の場合、払い出されたパチンコ玉が転がるため、一箇所に偏ることは少ない。これに対して、スロット機の場合、メダルが扁平状であり、転がることがないことから、払い出されたメダルが受皿の一箇所に偏って積み上げられてしまう。請求項４の遊技機によれば、スロット機の場合に生じ勝ちであるメダルの偏りを、受皿の形状や大きさを適切に選定することによって抑えることができる。したがって、受皿からメダルを取り上げて次のゲームのためにメダルを投入口に入れるとき、視線がスロット機に集中していても、受皿の左端から右端まで手探りでメダルを探すような不便を大幅に解消できる。
【００１６】
（請求項５に記載した発明の構成）
請求項５に記載した発明に係る遊技機（以下、「請求項５の遊技機」という）は、請求項４の遊技機に限定が加わり、前記受皿は、底壁と、この底壁からそれぞれ立ち上がった前壁、後壁及び２つの側壁と、を備え、前記前壁は、前記底壁から上方へ至るにつれて次第に前方へ張り出す傾斜状を呈することを特徴とする。
【００１７】
（請求項５に記載した発明の作用効果）
請求項５の遊技機によれば、前壁が前方へ張り出した傾斜状を呈しているため、メダルを前壁に滑らせて取り出すことが可能となり、前壁が底壁から実質的に垂直に立ちあがっている場合と比べて、メダルを受皿から取り出し易い。また、受皿の収容能力が少ない分、少ないメダル数で満杯となるため、満足感を与えることができる。
【００１８】
【発明の実施の形態】
以下、図面を参照して本発明の実施の形態（以下、「本実施形態」という）を説明する。図１は、受皿を搬送位置に固定した状態を示す一部を断面とした平面図で、破線は受皿を遊技位置に固定した状態を示している。図２は、受皿を搬送位置に固定した状態を示す一部を断面とした背面図である。図３は、受皿が実線の搬送位置と破線の遊技位置とをとる状態を模式的に示す一部を断面とした側面図である。図４は、遊技位置でメダルを受ける受皿を示す断面図である。図５は、遊技機であるスロット機を示す斜視図である。図６は、図５に示したスロット機の前後方向へ延びる中心線を含む仮想面で切断した、概略を示す断面図である。図７は、図６の７−７線に沿って切断した背面図で、リール装置やホッパを除いて示してある。図８は、受皿とレールを示す斜視図である。
【００１９】
（遊技機の一般構造）
図５ないし図７に示した遊技機１１はスロット機であり、獲得メダルが放出される受皿１３は、回転円盤１５ａを備えるリール装置１５や回転円盤１５ａの回転等を制御する制御基板１７、メダルを蓄え、受皿１３にメダルを放出するホッパ１９その他の必要機器を収容したケーシング２１の下方に配置してある。
【００２０】
ケーシング２１は、ヒンジによって開閉可能に取り付けられた前扉２３を備える。前扉２３は、リール装置１５の回転円盤１５ａを見ることができる窓２３ａを有し、さらに受皿１３の上側には、スロット機１１の機種を特徴つけるパネル２３ｂを有する。スタートボタン２５やストップボタン２７を前扉２３のほぼ中央の部分２３ｃに配置してある。本実施形態では、３つの回転円盤１５ａがリール装置１５に設けられており、各回転円盤１５ａに対応して３つのストップボタン２７を前扉２３に配置してある。その結果、スタートボタン２５を押すと、３つの回転円盤１５ａが同時に回転を開始し、３つのストップボタン２７の１つを押すと、これに対応した回転円盤１５ａが停止する。
【００２１】
（受皿の構造）
図６から明らかであるように、スタートボタン２５やストップボタン２７のある前扉２３の部分２３ｃは、前方へもっとも突出した個所である。そのため、従来では受皿は、部分２３ｃにあるスタートボタン２５やストップボタン２７の先端位置を限度として前方長さが定められていた。これに対して、本発明に係る受皿１３は、遊技機１１のケーシング２１に対して、破線で示した前方の遊技位置と、この遊技位置から後方へ後退した、実線で示した搬送位置と、をとることができるため、受皿１３の遊技位置をスタートボタン２５やストップボタン２７の先端位置とは関係なく定めることができる。換言すると、受皿１３を獲得メダル又は獲得玉を貯留し易く、遊技し易い形状や大きさに選定できる。
【００２２】
図１及び図２に示した受皿１３は、ケーシング２１の下端部分に設けた開口とホッパ１９の下方にある空間（図６参照）を通って前後方向へ移動可能であり、フランジ２９を後方端部に有する。フランジ２９は、逆Ｕ字状を呈する板材からなり、この板材を受皿１３の２つの側縁１３ａ，１３ａと、上縁１３ｂとに溶接して受皿１３と一体となっている。本実施形態では、フランジ２９は、５つの貫通孔２９ａと、２つのねじ孔２９ｂと、ホッパから延びている樋１９ａを通すための切欠き２９ｃと、を有する。
【００２３】
一方、ケーシング２１は、５つの貫通孔２９ａにそれぞれ対応する位置に取り付けた５つのボス２１ａと、２つのボス２１ｂと、を有する。各ボス２１ａ，２１ｂにはねじ孔を開けてある。ケーシング２１の２つのボス２１ｂからそれぞれ固定具３１をフランジ２９に渡し、各固定具３１をフランジ２９の２つのねじ孔２９ｂとそれぞれ対応させて配置する。
【００２４】
本実施形態では、固定具３１は、１つの片３１ａから２つの片３１ｂ，３１ｃを逆向きに伸ばした形態であり、いわゆるクランク状となっている。片３１ｂはフランジ２９のねじ孔２９ｂに対応する位置に貫通孔を有し、片３１ｃはボス２１ｂのねじ孔に対応する位置に貫通孔を有する。固定具３１をクランク状に形成した結果、ケーシング２１のボス２１ｂは、ボス２１ａと同じケーシング２１の面上に位置している。図２に示した固定具３１は、水平に配置してあるが、これは垂直配置であってもよく、また傾斜配置であってもよい。さらに、固定具３１の片３１ａの長さによって、ボス２１ｂの取付け位置又は高さを変えることができる。そのため、ボス２１ｂを取り付ける自由度が大きくなっている。
【００２５】
（受皿の作用）
受皿１３は、スロット機１１を保管するとき、又は搬送するとき、図１ないし図３の実線で示した搬送位置をとって固定される。すなわち、受皿１３をケーシング２１に対して後方へ後退させ、フランジ２９に固定具３１を当てる。固定具３１の片３１ｂに設けた貫通孔にボルト３３を通してフランジ２９のねじ孔２９ｂにねじ込む。さらに、固定具３１の片３１ｃに設けた貫通孔にボルト３３を通してケーシング２１のボス２１ｂに設けたねじ孔にねじ込む。２つの固定具３１，３１を介してフランジ２９をケーシング２１に固定することによって、受皿１３はケーシング２１に固定され、搬送位置に保持される。
【００２６】
スロット機１１を遊技場の所定場所に搬送した後、ボルト３３を緩めてねじ孔から外し、固定具３１を取り外す。その後、受皿１３をケーシング２１に対して前方へ押し出すと、受皿１３はケーシング２１の底板３７上を滑って移動し、フランジ２９がケーシング２１のボス２１ａに当り、受皿１３は図１の破線で示した遊技位置となる。そして、ボルト３５をフランジ２９の各貫通孔２９ａに通してボス２１ａのねじ孔にねじ込む。これによって、受皿１３はケーシング２１に固定され、遊技位置となって保持される。本実施形態では、ボス２１ａにねじ込むボルト３５とボス２１ｂにねじ込むボルト３３とは、本数が異なること、搬送位置と遊技位置とでは受皿１３に加わる荷重が異なること等を考慮して、ボルトのサイズを異ならせてあるが、同じサイズ、同じ数量とすれば、搬送位置に固定するためのボルトを遊技位置に固定するためのボルトとしてそのまま転用できる。また、遊技位置に変換する際、フランジ２９にねじ込んだボルト３３のみを取り外し、固定具３１はそのままケーシング２１に取り付けておいても、受皿１３を前方に移動、固定させることは可能であり、スロット機を再び搬送する場合、固定具３１を再利用できる。再び搬送する際の便宜から、緩めたボルト３３を仮に固定しておくためのねじ孔を設けておいたり、遊技位置に固定する際の便宜から、受皿１３を遊技位置に固定するボルト３５を、搬送の際に仮に固定しておくためのねじ孔を設けておいたりすることが好ましい。
【００２７】
図１及び図２から明らかであるように、受皿１３の遊技位置への固定と搬送位置への固定は、ケーシング２１の背面からのボルト３３、３５のねじ込みと、ねじ緩めで行うことができる。これは、固定具３１の形状の選定と、フランジ２９に貫通孔２９ａ及びねじ孔２９ｂを設けたことによるもので、作業能率を高めることができる。
【００２８】
受皿１３が図４に示した遊技位置をとるとき、ホッパから放出されるメダルを受ける樋１９ａの下端部がフランジ２９に当るようにフランジ２９を形成することが好ましい。受皿１３はこの位置で保持される。受皿１３はメダルＭを貯留し易い形状であるため、矢印のように受け皿１３に入ったメダルＭは受皿１３内でほぼ均される。
【００２９】
図４に示した受皿１３は、底壁３９ａと、底壁３９ａからそれぞれ立ち上がった前壁３９ｂ、後壁３９ｃ及び２つの側壁３９ｄと、を備える。そして、前壁３９ｂは、底壁３９ａから上方へ至るにつれて次第に前方へ張り出す傾斜状を呈している。前壁３９ｂのこの構造によれば、メダルを取り出し易い上、メダルの見掛けの容量を増やすことができる。
【００３０】
（受皿の別の構造）
図８に示した受皿４３は一対のロッド４５、４５を備えている。一対のロッド４５，４５は一対のレール４７、４７に沿って移動可能である。一対のレール４７，４７は、図６のホッパ１９と干渉しないようにスロット機１１のケーシング２１に取り付ける。各ロッド４５は平鋼からなり、各レール４７は溝型鋼からなる。一対のロッド４５，４５は、自由端部４５ａ，４５ａ間の距離が平行に取り付けたレール４７、４７のウエブ４７ａ，４７ａ間の距離よりも大きくなるように自由端に向けて末広状に形成してある。その結果、ロッド４５，４５をレール４７、４７に嵌めると、ロッド４５，４５が互いに接近する向きに弾性変形し、ロッド４５，４５が弾性力によってレール４７，４７のウエブ４７ａ，４７ａの内側面に押しつけられる。これによって摩擦力が生じるため、受皿４３を後方の搬送位置に固定することができる。受皿４３を引き出して遊技位置にすると、ロッド４５が復元し、ロッド４５に設けた突起４５ｂがレール４７に設けた孔４７ｂに嵌入する。これによって、受皿４３は遊技位置に固定される。
【００３１】
【発明の効果】
この発明によれば、受皿の前後方向寸法を長くすることができることから、左右方向寸法を短くして、貯留し易い形状、遊技し易い形状の受皿を得ることができる上、遊技機を保管したり、搬送したりするとき、受皿を搬送位置にして受皿が隣接して配置される遊技機の受皿その他の部分と干渉するのを避けることができる。
【図面の簡単な説明】
【図１】受皿を搬送位置に固定した状態を示す一部を断面とした平面図で、受皿を遊技位置に固定した状態を破線で示している。
【図２】受皿を搬送位置に固定した状態を示す一部を断面とした背面図である。
【図３】受皿が実線の搬送位置と破線の遊技位置とをとる状態を模式的に示す一部を断面とした側面図である。
【図４】遊技位置でメダルを受ける受皿を示す断面図である。
【図５】遊技機であるスロット機を示す斜視図である。
【図６】図５に示したスロット機の前後方向へ延びる中心線を含む仮想面で切断した、概略を示す断面図である。
【図７】図６の７−７線に沿って切断した背面図で、リール装置やホッパを除いて示してある。
【図８】受皿とレールを示す斜視図である。
【符号の説明】
１１　　　　　　　　　　遊技機（スロット機）
１３，４３　　　　　　　受皿
１３ａ　　　　　　　　　側縁部
１３ｂ　　　　　　　　　上縁部
１５　　　　　　　　　　リール装置
１５ａ　　　　　　　　　回転円盤
１７　　　　　　　　　　制御基板
１９　　　　　　　　　　ホッパ
１９ａ　　　　　　　　　樋
２１　　　　　　　　　　ケーシング
２１ａ，２１ｂ　　　　　ボス
２３　　　　　　　　　　前扉
２３ａ　　　　　　　　　窓
２３ｂ　　　　　　　　　パネル
２３ｃ　　　　　　　　　部分
２５　　　　　　　　　　スタートボタン
２７　　　　　　　　　　ストップボタン
２９　　　　　　　　　　フランジ
２９ａ　　　　　　　　　ボルト孔
２９ｂ　　　　　　　　　ねじ孔
２９ｃ　　　　　　　　　切欠き
３１　　　　　　　　　　固定具
３１ａ，３１ｂ，３１ｃ　片
３３，３５　　　　　　　ボルト
３７　　　　　　　　　　底板
３９ａ　　　　　　　　　底壁
３９ｂ　　　　　　　　　前壁
３９ｃ　　　　　　　　　後壁
３９ｄ　　　　　　　　　側壁
４５　　　　　　　　　　ロッド
４５ａ　　　　　　　　　自由端部
４５ｂ　　　　　　　　　突起
４７　　　　　　　　　　レール
４７ａ　　　　　　　　　ウエブ
４７ｂ　　　　　　　　　孔
【図１】
2004097370.tif 000003
【図２】
2004097370.tif 000004
【図３】
2004097370.tif 000005
【図４】
2004097370.tif 000006
【図５】
2004097370.tif 000007
【図６】
2004097370.tif 000008
【図７】
2004097370.tif 000009
【図８】
2004097370.tif 000010